(57)【要約】【課題】蒸気タービンの復水器に用いられる真空ポンプをより効率的に運転する。【解決手段】復水器から空気を排出する真空ポンプの回転速度を制御するインバータに接続されるインバータ接続部と、前記復水器内の目標圧力値を取得する目標圧力値取得部と、前記目標圧力値から、前記復水器内の圧力を前記目標圧力値にするために必要な前記真空ポンプの目標回転速度を求めるためのデータを記憶するデータ記憶部と、前記目標圧力値及び前記データから求まる目標回転速度で前記真空ポンプを回転させるためのコマンドを、前記インバータに出力するコマンド出力部と、を備えることを特徴とする復水器真空制御装置。【選択図】図４
2018087648.tif 000002
【特許請求の範囲】
【請求項１】
復水器から空気を排出する真空ポンプの回転速度を制御するインバータに接続されるインバータ接続部と、
前記復水器内の目標圧力値を取得する目標圧力値取得部と、
前記目標圧力値から、前記復水器内の圧力を前記目標圧力値にするために必要な前記真空ポンプの目標回転速度を求めるためのデータを記憶するデータ記憶部と、
前記目標圧力値及び前記データから求まる目標回転速度で前記真空ポンプを回転させるためのコマンドを、前記インバータに出力するコマンド出力部と、
を備えることを特徴とする復水器真空制御装置。
【請求項２】
請求項１に記載の復水器真空制御装置であって、
前記復水器内の前記目標圧力値として、第１目標圧力値と、前記第１目標圧力値よりも真空度が高い第２目標圧力値と、を記憶する目標圧力値記憶部と、
前記復水器に蒸気を排出する蒸気タービン内の温度を検出する第１検出器から、前記温度を示すデータを取得するタービン温度取得部と、
を備え、
前記目標圧力値取得部は、前記温度が第１判定値以下の場合には、前記第１目標圧力値を前記目標値記憶部から取得し、前記温度が前記第１判定値よりも高い場合には、前記第２目標圧力値を前記目標値記憶部から取得する
ことを特徴とする復水器真空制御装置。
【請求項３】
請求項２に記載の復水器真空制御装置であって、
前記蒸気タービンによって駆動される発電機からの出力電力を検出する第２検出器から、前記出力電力を示すデータを取得する出力電力取得部と、
を備え、
前記目標圧力値取得部は、前記出力電力が第２判定値以上である場合には、前記蒸気タービンの温度が前記第１判定値以下の場合であっても、前記第２目標圧力値を前記目標値記憶部から取得する
ことを特徴とする復水器真空制御装置。
【請求項４】
請求項３に記載の復水器真空制御装置であって、
前記蒸気タービンの主蒸気流量を検出する第３検出器から、前記主蒸気流量を示すデータを取得する主蒸気流量取得部と、
を備え、
前記目標圧力値取得部は、前記蒸気タービンの主蒸気流量が第３判定値以上である場合には、前記蒸気タービンの温度が前記第１判定値以下であり、かつ、前記出力電力が前記第２判定値未満であっても、前記第２目標圧力値を前記目標値記憶部から取得する
ことを特徴とする復水器真空制御装置。
【請求項５】
請求項４に記載の復水器真空制御装置であって、
前記蒸気タービンが備えるタービンロータと、前記蒸気タービンのケーシングと、の伸び差を検出する第４検出器から、前記伸び差を示すデータを取得する伸び差取得部と、
を備え、
前記目標圧力値取得部は、前記伸び差が第４判定値以下である場合には、前記蒸気タービンの温度が前記第１判定値以下であり、かつ、前記出力電力が前記第２判定値未満であり、かつ、前記蒸気タービンの主蒸気流量が前記第３判定値未満であっても、前記第２目標圧力値を前記目標値記憶部から取得する
ことを特徴とする復水器真空制御装置。
【請求項６】
請求項１〜５のいずれかに記載の復水器真空制御装置であって、
前記復水器内の圧力を計測する圧力計から前記圧力の計測値を取得する圧力取得部と、
前記圧力の計測値と前記目標圧力値との差を小さくするように前記真空ポンプの前記目標回転速度を変更する目標回転速度変更部と、
を備えることを特徴とする復水器真空制御装置。
【請求項７】
復水器から空気を排出する真空ポンプの回転速度を制御するインバータに接続される復水器真空制御装置の制御方法であって、
前記復水器真空制御装置は、前記復水器内の目標圧力値を取得し、
前記復水器真空制御装置は、前記目標圧力値から、前記復水器内の圧力を前記目標圧力値にするために必要な前記真空ポンプの目標回転速度を求めるためのデータを記憶し、
前記復水器真空制御装置は、前記目標圧力値及び前記データから求まる目標回転速度で前記真空ポンプを回転させるためのコマンドを、前記インバータに出力する
ことを特徴とする復水器真空制御装置の制御方法。
【発明の詳細な説明】
【技術分野】
【０００１】
本発明は、復水器真空制御装置及び復水器真空制御装置の制御方法に関する。
【背景技術】
【０００２】
蒸気タービンから排出された蒸気を水に凝縮する復水器は、真空ポンプを用いて内部が低圧に維持されている。
【０００３】
このような真空ポンプには様々な種類があるが、発電所の蒸気タービンでは、水封型真空ポンプのような回転型真空ポンプが用いられることが多い（例えば特許文献１参照）。
【先行技術文献】
【特許文献】
【０００４】
【特許文献１】実開平４−１２２９５１号公報
【発明の概要】
【発明が解決しようとする課題】
【０００５】
しかしながら、復水器内の圧力は冷却水温の影響を受けて変化する。発電所では、通常は復水器の冷却水として海水を用いるため、冬季は復水器内の圧力が低下し、真空度が上がる。
【０００６】
この場合、復水器内に外気を取り入れたり、冷却水の量を変えることで、復水器内の圧力が下がり過ぎないように（真空度が上がり過ぎないように）調節される。
【０００７】
また、復水器内の真空度が所定範囲内に維持されている場合であっても、発電量が上限値を超えそうな場合や、蒸気タービンのタービンロータとケーシングとの伸び差が大きくなって両者が接触しそうな場合など、蒸気タービンの運転状況によって復水器内の圧力を一時的に上げる（真空度を下げる）こともある。このような場合も、復水器内に外気を取り入れたり冷却水の量を変えることで復水器内の真空度を変化させている。
【０００８】
しかしながら、いずれの場合も真空ポンプは一定速度で回転したままであり、真空ポンプが効率的に運転されているとは言えない。
【０００９】
本発明は上記課題を鑑みてなされたものであり、蒸気タービンの復水器に用いられる真空ポンプをより効率的に運転可能とするための、復水器真空制御装置及び復水器真空制御装置の制御方法を提供することを一つの目的とする。
【課題を解決するための手段】
【００１０】
一つの側面に係る復水器真空制御装置は、復水器から空気を排出する真空ポンプの回転速度を制御するインバータに接続されるインバータ接続部と、前記復水器内の目標圧力値を取得する目標圧力値取得部と、前記目標圧力値から、前記復水器内の圧力を前記目標圧力値にするために必要な前記真空ポンプの目標回転速度を求めるためのデータを記憶するデータ記憶部と、前記目標圧力値及び前記データから求まる目標回転速度で前記真空ポンプを回転させるためのコマンドを、前記インバータに出力するコマンド出力部と、を備える。
【００１１】
その他、本願が開示する課題、及びその解決方法は、発明を実施するための形態の欄の記載、及び図面の記載等により明らかにされる。
【発明の効果】
【００１２】
本発明によれば、蒸気タービンの復水器に用いられる真空ポンプをより効率的に運転することが可能となる。
【図面の簡単な説明】
【００１３】
【図１】本実施形態に係る復水器真空制御システムの全体構成を示す図である。
【図２】本実施形態に係る復水器真空制御装置の構成を示す図である。
【図３】本実施形態に係る目標回転速度算出テーブルを示す図である。
【図４】本実施形態に係る復水器真空制御装置の制御方法を示すフローチャートである。
【発明を実施するための形態】
【００１４】
本明細書および添付図面の記載により、少なくとも以下の事項が明らかとなる。
【００１５】
＝＝全体構成＝＝
図１に、本発明の実施形態に係る復水器真空制御システム１０００の全体構成図を示す。本実施形態に係る復水器真空制御システム１０００は、一例として、原子力発電所や火力発電所に設置される発電機を駆動する蒸気タービンに用いられる。
【００１６】
復水器真空制御システム１０００は、蒸気タービン５００と、発電機６００と、復水器２００と、復水器真空制御装置１００と、ポンプシステム３００と、タービン温度検出器４００（第１検出器）と、負荷検出器４１０（第２検出器）と、主蒸気流量検出器４２０（第３検出器）と、伸び差検出器４３０（第４検出器）と、を備えて構成される。
【００１７】
＜復水器＞
復水器２００は、発電機６００を駆動する蒸気タービン５００から排出される蒸気を、海水などの冷却水によって凝縮する装置である。また復水器２００はエアバルブ２２０を介してポンプシステム３００に接続されており、復水器２００内部の圧力が後述する所定の目標値になるように制御される。そして復水器２００内の圧力は、圧力計２１０によって計測され、復水器真空制御装置１００に入力されている。
【００１８】
＜タービン温度検出器＞
タービン温度検出器４００（第１検出器）は、蒸気タービン５００の第１段蒸気室（不図示）の内壁のメタル温度（以下、単にメタル温度とも記す）を計測する。メタル温度は、蒸気タービン５００の運転状況によって大きく変化する。例えば蒸気タービン５００の点検を行った場合などのように、蒸気タービン５００を長期間停止していた場合には室温程度にまで下がっている。あるいは、夜間や休日など電力需要が低下する時間帯において蒸気タービン５００を一時的に停止していた場合には、２００℃程度に下がっている。
【００１９】
このため蒸気タービン５００を起動する際には、メタル温度が高温の状態から起動する場合だけでなく、低温の状態から起動する場合があり、本実施形態では、メタル温度が１８０℃以下の状態から蒸気タービン５００を起動する場合をコールド起動、メタル温度が１８０℃より高く２５０℃未満の状態から蒸気タービン５００を起動する場合をウォーム起動と記す。
【００２０】
＜伸び差検出器＞
伸び差検出器４３０（第４検出器）は、蒸気タービン５００の運転中に生じる、蒸気タービン５００内のタービンロータ（不図示）とケーシング（不図示）との伸び差（以下、単に伸び差とも記す）を検出する。伸び差が所定値よりも大きくなった場合、タービンロータとケーシングが接触し、蒸気タービン５００に振動が発生することがある。特にコールド起動直後やウォーム起動直後は、ケーシングの伸び量に比べてタービンロータの伸び量が大きいため、タービンロータとケーシングとの接触が生じやすい。
【００２１】
＜負荷検出器＞
負荷検出器４１０（第２検出器）は、蒸気タービン５００によって駆動される発電機６００の出力電力を計測する。
【００２２】
＜主蒸気流量検出器＞
主蒸気流量検出器４２０（第３検出器）は、蒸気タービン５００の主蒸気の流量を計測する。
【００２３】
＜復水器真空制御装置＞
復水器真空制御装置１００は、復水器２００の内部の圧力が所望の目標値になるようにポンプシステム３００を制御する。
【００２４】
具体的には、復水器真空制御装置１００には、上記のタービン温度検出器４００、負荷検出器４１０、主蒸気流量検出器４２０、伸び差検出器４３０、及び圧力計２１０が接続されており、復水器真空制御装置１００は、これらの検出器４００〜４３０及び圧力計２１０から取得した情報を元に、復水器２００の内部の圧力が目標値になるように、ポンプシステム３００を制御する。
【００２５】
＜ポンプシステム＞
ポンプシステム３００は、第１真空ポンプ３２０Ａ、第２真空ポンプ３２０Ｂ、第１モータ３１０Ａ、第２モータ３１０Ｂ、第１インバータ３３０Ａ、第２インバータ３３０Ｂを有して構成され、復水器真空制御装置１００から送信されるコマンドに応じた能力で復水器２００内から空気を吸引する。
【００２６】
なおポンプシステム３００は二重化されており、第２真空ポンプ３２０Ｂ、第２モータ３１０Ｂ、第２インバータ３３０Ｂは予備の装置である。そのため以下の説明では、第１真空ポンプ３２０Ａと第２真空ポンプ３２０Ｂをまとめて真空ポンプ３２０と記し、第１モータ３１０Ａと第２モータ３１０Ｂをまとめてモータ３１０と記し、第１インバータ３３０Ａと第２インバータ３３０Ｂをまとめてインバータ３３０と記し、重複する説明は省略する。
【００２７】
真空ポンプ３２０は、復水器２００から空気を吸引して大気に放出する。真空ポンプ３２０は、本実施形態では水封式回転ポンプであり、モータ３１０によって駆動されるインペラ（不図示）が円筒形のケーシング（不図示）内で封水とともに回転することにより、復水器２００から空気を排出する。
【００２８】
モータ３１０は、インバータ３３０から供給される交流電力によって真空ポンプ３２０を駆動する。そしてモータ３１０は、インバータ３３０から供給される交流電力の周波数に応じて回転速度を変化させる。
【００２９】
インバータ３３０は、復水器真空制御装置１００から出力されるコマンドに応じて、モータ３１０に供給する交流電力の周波数を変化させる装置である。
【００３０】
このため、本実施形態に係る真空ポンプ３２０の回転速度は、復水器真空制御装置１００から出力されるコマンドに応じて変化する。
【００３１】
＝＝復水器真空制御装置＝＝
つぎに、図２及び図３を参照しながら、復水器真空制御装置１００について詳細に説明する。
【００３２】
上述したように、復水器真空制御装置１００は、タービン温度検出器４００、負荷検出器４１０、主蒸気流量検出器４２０、伸び差検出器４３０、及び圧力計２１０から取得した情報を元に、復水器２００の内部の圧力が所定の目標値になるように、ポンプシステム３００を制御する。
【００３３】
図２に示すように、復水器真空制御装置１００は、タービン温度取得部１０１、出力電力取得部１０２、主蒸気流量取得部１０３、伸び差取得部１０４、目標圧力値取得部１０５、目標圧力値記憶部１０６、データ記憶部１０７、コマンド出力部１０８、インバータ接続部１０９、目標回転速度変更部１１０、圧力取得部１１１の各機能を備える。
【００３４】
復水器真空制御装置１００が備えるこれらの各機能は、復水器真空制御装置１００が備える不図示のプロセッサやメモリ、通信回路等のハードウェアと、これらのハードウェアにより処理されるプログラムやデータ等のソフトウェアと、が協働することにより実現される。
【００３５】
タービン温度取得部１０１は、タービン温度検出器４００（第１検出器）からメタル温度（蒸気タービン５００内の温度を示すデータ）を取得する。
【００３６】
出力電力取得部１０２は、負荷検出器４１０（第２検出器）から、発電機６００により発電された電力（出力電力を示すデータ）を取得する。
【００３７】
主蒸気流量取得部１０３は、主蒸気流量検出器４２０（第３検出器）から、主蒸気流量を示すデータを取得する。
【００３８】
伸び差取得部１０４は、伸び差検出器４３０（第４検出器）から伸び差を示すデータを取得する。
【００３９】
目標圧力値取得部１０５は、復水器２００内の目標圧力値を取得する。詳細は後述するが、目標圧力値取得部１０５は、上記のタービン温度取得部１０１、出力電力取得部１０２、主蒸気流量取得部１０３、伸び差取得部１０４から取得した各データに基づいて定まる目標圧力値を、目標圧力値記憶部１０６に記憶されている複数の目標圧力値の中から読み出すことによって目標圧力値を取得する。
【００４０】
目標圧力値記憶部１０６は、復水器２００内の目標圧力値として、第１目標圧力値と、第１目標圧力値よりも真空度が高い（圧力が低い）第２目標圧力値と、を記憶する。本実施形態では、第１目標圧力値は例えば−９２ｋＰａ（キロパスカル）であり、第２目標圧力値は例えば−９６ｋＰａである。このため本実施形態では、目標圧力値取得部１０５は、復水器２００の目標圧力値として、第１目標圧力値または第２目標圧力値のどちらかを取得することになる。
【００４１】
データ記憶部１０７は、目標圧力値取得部１０５が目標圧力値記憶部１０６から取得した上記目標圧力値から、復水器２００内の圧力をこの目標圧力値にするために必要な真空ポンプ３２０の目標回転速度を求めるためのデータを記憶する。つまりデータ記憶部１０７は、目標圧力値を目標回転速度に変換するためのデータを記憶する。
【００４２】
本実施形態では、データ記憶部１０７には例えば図３に示すような目標回転速度算出テーブル８００が記憶されている。
【００４３】
目標回転速度算出テーブル８００は、事前の実験や試験により得られた、復水器２００内の目標圧力値と、その目標圧力値を実現するために必要な真空ポンプ３２０の回転速度とを対応付けたテーブルである。なお、データ記憶部１０７は、このような目標回転速度算出テーブル８００を記憶しておく態様の他に、目標圧力値から目標回転速度への換算式を記憶しておく態様でも良い。
【００４４】
コマンド出力部１０８は、上記のようにして算出された目標回転速度で真空ポンプ３２０を回転させるためのコマンドを生成し、インバータ接続部１０９を通じてインバータ３３０に出力する。
【００４５】
インバータ接続部１０９は、復水器２００から空気を吸引する真空ポンプ３２０の回転速度を制御するインバータ３３０に接続される。そしてコマンド出力部１０８によって生成された上記コマンドをインバータ３３０に送信する。
【００４６】
目標回転速度変更部１１０は、復水器２００内の圧力の計測値と上記目標圧力値との差を小さくするように、真空ポンプ３２０の目標回転速度を変更する。
【００４７】
例えば目標回転速度変更部１１０は、復水器２００内の圧力の計測値と上記目標圧力値との差が所定値以上になった場合に、復水器２００内の圧力が目標圧力値に近づくように、真空ポンプ３２０の目標回転速度を変更する。具体的には目標回転速度変更部１１０は、復水器２００内の圧力が目標圧力値に対して５ｋＰａ以上高くなったら、真空ポンプ３２０の目標回転速度を所定量（例えば１０ｒｐｍ（revolution per minute））だけ増加させる。逆に、目標回転速度変更部１１０は、復水器２００内の圧力が目標圧力値に対して５ｋＰａ以上低くなったら、真空ポンプ３２０の目標回転速度を所定量だけ減少させる。
【００４８】
このように、真空ポンプ３２０の回転速度を適宜変更することによって、復水器真空制御装置１００は、復水器２００内の圧力をより正確に目標値に近づけることが可能となる。また復水器真空制御装置１００は、真空ポンプ３２０の回転速度を自在に変化させることができるため、真空ポンプ３２０の消費電力が最適化され、効率的に運転することが可能となる。
【００４９】
圧力取得部１１１は、復水器２００内の圧力を計測する圧力計２１０から復水器２００内の圧力を取得する。
【００５０】
＝＝復水器真空制御装置の制御方法＝＝
つぎに、本実施形態に係る復水器真空制御装置１００によって行われる復水器２００内の圧力の制御方法について、図４のフローチャートを参照しながら説明する。
【００５１】
まず復水器真空制御装置１００は、タービン温度検出器４００、負荷検出器４１０、主蒸気流量検出器４２０、伸び差検出器４３０、及び圧力計２１０から、これらのセンサによって計測されたデータを取得する（S1000）。
【００５２】
そして復水器真空制御装置１００は、タービン温度検出器４００から取得したメタル温度が第１判定値未満の場合は、S1010において"YES"に進み、メタル温度が第１判定値以上の場合は"NO"に進む。この第１判定値は、蒸気タービン５００が上述したウォーム起動又はコールド起動されたか否かを判定するための閾値であり、本実施形態では２５０℃に設定されている。
【００５３】
メタル温度が第１判定値未満の場合は、ウォーム起動あるいはコールド起動であるので、復水器真空制御装置１００は、目標値圧力記憶部１０６から第１目標圧力値を読み出して、復水器２００の目標圧力値を第１目標圧力値に設定する（S1050）。
【００５４】
上述したように、ウォーム起動あるいはコールド起動の場合は、ケーシングの伸び量に比べてタービンロータの伸び量が大きいため、タービンロータとケーシングとの接触が生じやすい。そのため、本実施形態によれば、目標圧力値を第１目標圧力値として、復水器２００内の真空度を下げる（圧力を上げる）ことによって、蒸気タービン５００の主蒸気流量が増大し、ケーシングの伸び量を増大させることによって、タービンロータとの伸び差を小さくすることができる。
【００５５】
一方、メタル温度が第１判定値以上の場合は、ウォーム起動でもコールド起動でもないので、復水器真空制御装置１００は、目標値圧力記憶部１０６から第２目標圧力値を読み出して、復水器２００の目標圧力値を第２目標圧力値に設定する（S1070）。
【００５６】
蒸気タービン５００がコールド起動またはウォーム起動である場合は、次に、復水器真空制御装置１００は、発電機６００の出力電力が第２判定値未満であるか否かを判定する（S1020）。
【００５７】
そして、発電機６００の出力電力が第２判定値未満である場合には、復水器真空制御装置１００は、S1020において"YES"に進み、復水器２００の目標圧力値を第１目標圧力値に設定するが（S1050）、出力電力が第２判定値以上の場合は、コールド起動またはウォーム起動であったとしても、復水器真空制御装置１００はS1020において"NO"に進み、復水器２００の目標圧力値を第２目標圧力値に設定する（S1070）。
【００５８】
発電機６００の出力電力が第２判定値以上となった場合は、そのままでは蒸気タービン５００の主蒸気流量の上限値を超えてしまう可能性が高い。そのため、本実施形態のように、蒸気タービン５００がコールド起動またはウォーム起動であっても、復水器２００内の真空度を上げる（圧力を下げる）ことによって、蒸気タービン５００の主蒸気流量を減少させることができる。
【００５９】
さらに復水器真空制御装置１００は、蒸気タービン５００がコールド起動またはウォーム起動であり、しかも発電機６００の出力電力が第２判定値未満であったとしても、主蒸気流量が第３判定値以上となった場合には、S1030において、"NO"に進み、目標値圧力記憶部１０６から第２目標圧力値を読み出して、復水器２００の目標圧力値を第２目標圧力値に設定する（S1070）。このような態様によって、より確実に、蒸気タービン５００の主蒸気流量が上限値を超えないようにすることが可能となる。
【００６０】
その後、復水器真空制御装置１００は、蒸気タービン５００がコールド起動またはウォーム起動であり、発電機６００の出力電力が第２判定値未満であり、さらに主蒸気流量も第３判定値未満であったとしても、蒸気タービン５００のタービンロータとケーシングの伸び差が第４判定値を超えていない場合には、S1040において、"NO"に進み、目標値圧力記憶部１０６から第２目標圧力値を読み出して、復水器２００の目標圧力値を第２目標圧力値に設定する（S1070）。
【００６１】
このような態様によって、伸び差が第４判定値を超えていなければ、復水器２００の真空度を上げて（圧力を下げて）制御することができる。
【００６２】
一方、伸び差が第４判定値を超えている場合には、S1040において、"YES"に進み、目標値圧力記憶部１０６から第１目標圧力値を読み出して、復水器２００の目標圧力値を第１目標圧力値に設定する（S1050）。このような態様によって、伸び差が第４判定値を超えている場合には、復水器２００の真空度を下げて（圧力を上げて）主蒸気流量を増大させることで、ケーシングの伸び量を増大させることによって、タービンロータとの伸び差を小さくすることができる。
【００６３】
以上のようにして、復水器真空制御装置１００は、復水器２００の目標圧力値を第１目標圧力値又は第２目標圧力値のいずれかに決定することができる。
【００６４】
そしてその後復水器真空制御装置１００は、上述したように、データ記憶部１０７を参照することで真空ポンプ３２０の目標回転速度を求め、コマンドとしてインバータ３３０に送信する。
【００６５】
そしてその後、復水器真空制御装置１００は、再びタービン温度検出器４００、負荷検出器４１０、主蒸気流量検出器４２０、伸び差検出器４３０、及び圧力計２１０から、これらのセンサによって計測されたデータを取得する（S1060）。そしてS1020からの処理を繰り返す。
【００６６】
このようにして復水器真空制御装置１００は、復水器２００内の圧力が目標圧力値になるように、最適に真空ポンプ３２０の回転速度を制御する。
【００６７】
なおその際に、図４のフローチャートには記載されていないが、復水器真空制御装置１００は、さらに、圧力計２１０から取得した復水器２００内の圧力と復水器２００の目標圧力値との差が小さくなるように、真空ポンプ３２０の目標回転速度を変更する。例えば復水器真空制御装置１００は、圧力計２１０から取得した復水器２００内の圧力と復水器２００の目標圧力値との差が所定値以上になった場合に、復水器２００の圧力が目標圧力値になるように、真空ポンプ３２０の目標回転速度を変更する。
【００６８】
このような態様によって、より最適に復水器２００内の圧力を目標圧力値に制御することが可能となる。
【００６９】
以上、本実施形態に係る復水器真空制御装置１００の制御方法をまとめると、まず、蒸気タービン５００がコールド起動でもウォーム起動でもなく起動された場合は（S1010:NO）、復水器真空制御装置１００は、復水器２００を高真空度（-96kPa）にして制御を開始する（S1070）。その後、発電機６００の出力電力や蒸気タービン５００の主蒸気流量がそれぞれ上限値を超えず（S1020:YES、S1030:YES）、伸び差も判定値以上とならない限り（S1040:NO）、復水器２００を高真空度（S1070）で制御を続ける。
【００７０】
しかしながら、伸び差が第４判定値を超えた場合には（S1040:YES）、復水器真空制御装置１００は、復水器２００を低真空度（-92kPa）に下げ、蒸気タービン５００内のタービンロータとケーシングとの接触を防止する。
【００７１】
また発電機６００の出力電力または蒸気タービン５００の主蒸気流量が所定の上限値を超えた場合も（S1020:NO、S1030:NO）、復水器真空制御装置１００は、復水器２００を高真空度（-96kPa）に上げ、蒸気タービン５００内の主蒸気流量が上限値を超えないようにする。
【００７２】
これに対し、蒸気タービン５００がコールド起動あるいはウォーム起動で起動された場合は（S1010:YES）、起動直後にケーシングの伸び量に比べてタービンロータの伸び量が大きいため、伸び差が第４判定値を超え（S1040:YES）、復水器真空制御装置１００は、復水器２００を低真空度（-92kPa）にして制御を行う（S1050）。このようにして復水器真空制御装置１００は、復水器２００内の真空度を下げる（圧力を上げる）ことによって、蒸気タービン５００の主蒸気流量を増大させ、ケーシングの伸び量を増大させることによって、タービンロータとの伸び差を小さくする。
【００７３】
そしてその後、伸び差が第４判定値以下になったら、復水器真空制御装置１００は、復水器２００を高真空度（-96kPa）にして制御を行う（S1070）。
【００７４】
あるいは復水器真空制御装置１００は、伸び差が第４判定値以下になっていなくても、発電機６００の出力電力または蒸気タービン５００の主蒸気流量が所定の上限値を超えてしまった場合は（S1020:NO、S1030:NO）、復水器２００を高真空度（-96kPa）に上げ、蒸気タービン５００内の主蒸気流量が上限値を超えないようにする。
【００７５】
以上、本実施形態に係る復水器真空制御装置１００及び復水器真空制御装置１００の制御方法について説明したが、本実施形態に係る復水器真空制御装置１００及び復水器真空制御装置１００の制御方法によれば、復水器２００の真空度を下げる場合に真空ポンプ３２０の回転速度を下げることができるので、真空ポンプ３２０の消費エネルギーを低減でき、より効率的に真空ポンプ３２０を運転することが可能となる。
【００７６】
なお上述した実施の形態は本発明の理解を容易にするためのものであり、本発明を限定して解釈するためのものではない。本発明はその趣旨を逸脱することなく変更、改良され得るとともに、本発明にはその等価物も含まれる。
【００７７】
例えば本実施形態では、復水器２００の目標圧力値は第１目標圧力値あるいは第２目標圧力値のいずれかに設定されるが、３つ以上の目標圧力値、例えば第１目標圧力値、第２目標圧力値、第３目標圧力値の中のいずれかから設定されるようにしても良い。
【符号の説明】
【００７８】
１００    復水器真空制御装置
１０１    タービン温度取得部
１０２    出力電力取得部
１０３    主蒸気流量取得部
１０４    伸び差取得部
１０５    目標圧力値取得部
１０６    目標圧力値記憶部
１０７    データ記憶部
１０８    コマンド出力部
１０９    インバータ接続部
１１０    目標回転速度変更部
１１１    圧力取得部
２００    復水器
２１０    圧力計
２２０    エアバルブ
３００    ポンプシステム
３１０Ａ  第１モータ
３１０Ｂ  第２モータ
３２０Ａ  第１真空ポンプ
３２０Ｂ  第２真空ポンプ
３３０Ａ  第１インバータ
３３０Ｂ  第２インバータ
４００    タービン温度検出器
４１０    負荷検出器
４２０    主蒸気流量検出器
４３０    伸び差検出器
５００    蒸気タービン
６００    発電機
８００    目標回転速度算出テーブル
１０００  復水器真空制御システム
【図１】
2018087648.tif 000003
【図２】
2018087648.tif 000004
【図３】
2018087648.tif 000005
【図４】
2018087648.tif 000006